(57)【要約】【課題】本発明は、単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法に関するものである。【解決手段】前記方法は、多重基地局ＭＩＭＯのためのフィードバック制御情報を伝送し、前記フィードバック制御情報に基づいて生成された多重基地局ＭＩＭＯフィードバックのための多重基地局ＭＩＭＯフィードバックメッセージを受信することを含み、前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む。【選択図】図３
2011166714.tif 000002
【特許請求の範囲】
【請求項１】
単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法であって、
多重基地局ＭＩＭＯのためのフィードバック制御情報を端末に伝送し、
前記フィードバック制御情報に基づいて生成された多重基地局ＭＩＭＯフィードバックのための多重基地局ＭＩＭＯフィードバックメッセージを受信することを含み、
前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む、フィードバック方法。
【請求項２】
前記ＴＲＵが所定値に設定される場合、単一基地局ＭＩＭＯ動作のために報告された最も最近の所定個数のサブバンドが前記フィードバックを行う資源ユニットに設定され、前記ＭＩＭＯフィードバックメッセージは、前記所定個数のサブバンドに対するＰＭＩ（Ｐｒｅｃｏｄｉｎｇ  Ｍａｔｒｉｘ  Ｉｎｄｅｘ）情報を含む、請求項１に記載のフィードバック方法。
【請求項３】
前記ＴＲＵのために２ビットが割り当てられ、前記所定値は００である、請求項２に記載のフィードバック方法。
【請求項４】
前記フィードバック制御情報は干渉調整設定情報を含み、
前記干渉調整設定情報は、前記ＰＭＩのうち隣接セルに対して最も大きい干渉として作動するＰＭＩを選択するように指示する、請求項１に記載のフィードバック方法。
【請求項５】
前記フィードバック制御情報は干渉調整設定情報を含み、
前記干渉調整設定情報は、前記ＰＭＩのうち隣接セルに対して最も小さい干渉として作動するＰＭＩを選択するように指示する、請求項１に記載のフィードバック方法。
【請求項６】
前記フィードバック制御情報は干渉調整設定情報を含み、
前記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示する、請求項１に記載のフィードバック方法。
【請求項７】
前記フィードバック制御情報は干渉調整設定情報を含み、
前記干渉調整設定情報は、多重基地局プリコーディングのためのＭＩＭＯ（Ｃｏｌｌａｂｏｒａｔｉｖｅ―ＭＩＭＯ）モードを指示する、請求項１に記載のフィードバック方法。
【請求項８】
単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法であって、
端末が多重基地局ＭＩＭＯのためのフィードバック制御情報を受信し、
前記フィードバック制御情報に基づいて生成された多重基地局ＭＩＭＯフィードバックのための多重基地局ＭＩＭＯフィードバックメッセージを伝送することを含み、
前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む、フィードバック方法。
【請求項９】
前記ＴＲＵが所定値に設定される場合、単一基地局ＭＩＭＯ動作のために報告された最も最近の所定個数のサブバンドが前記フィードバックを行う資源ユニットに設定され、前記ＭＩＭＯフィードバックメッセージは、前記所定個数のサブバンドに対するＰＭＩ（Ｐｒｅｃｏｄｉｎｇ  Ｍａｔｒｉｘ  Ｉｎｄｅｘ）情報を含む、請求項８に記載のフィードバック方法。
【請求項１０】
前記ＴＲＵのために２ビットが割り当てられ、前記所定値は００である、請求項９に記載のフィードバック方法。
【請求項１１】
前記フィードバック制御情報は干渉調整設定情報を含み、
前記干渉調整設定情報は、前記ＰＭＩのうち隣接セルに対して最も大きい干渉として作動するＰＭＩを選択するように指示する、請求項８に記載のフィードバック方法。
【請求項１２】
前記フィードバック制御情報は干渉調整設定情報を含み、
前記干渉調整設定情報は、前記ＰＭＩのうち隣接セルに対して最も小さい干渉として作動するＰＭＩを選択するように指示する、請求項８に記載のフィードバック方法。
【請求項１３】
前記フィードバック制御情報は干渉調整設定情報を含み、
前記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示する、請求項８に記載のフィードバック方法。
【請求項１４】
前記フィードバック制御情報は干渉調整設定情報を含み、
前記干渉調整設定情報は、多重基地局プリコーディングのためのＭＩＭＯ（Ｃｏｌｌａｂｏｒａｔｉｖｅ―ＭＩＭＯ）モードを指示する、請求項８に記載のフィードバック方法。
【請求項１５】
単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおいて、ユーザ機器は、
多重基地局ＭＩＭＯのためのフィードバック制御情報を受信する受信部と、
前記フィードバック制御情報に基づいて生成された多重基地局ＭＩＭＯフィードバックのための多重基地局ＭＩＭＯフィードバックメッセージを生成する処理部と、
前記生成されたＭＩＭＯフィードバックメッセージを伝送する伝送部と、を含み、
前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む、ユーザ機器。
【請求項１６】
前記ＴＲＵが所定値に設定される場合、単一基地局ＭＩＭＯ動作のために報告された最も最近の所定個数のサブバンドが前記フィードバックを行う資源ユニットに設定され、前記ＭＩＭＯフィードバックメッセージは、前記所定個数のサブバンドに対するＰＭＩ（Ｐｒｅｃｏｄｉｎｇ  Ｍａｔｒｉｘ  Ｉｎｄｅｘ）情報を含む、請求項１５に記載のユーザ機器。
【請求項１７】
前記ＴＲＵのために２ビットが割り当てられ、前記所定値は００である、請求項１５に記載のユーザ機器。
【請求項１８】
前記フィードバック制御情報は干渉調整設定情報を含み、
前記干渉調整類型情報は、前記ＰＭＩのうち隣接セルに対して最も大きい干渉として作動するＰＭＩを選択するように指示する、請求項１５に記載のユーザ機器。
【請求項１９】
前記フィードバック制御情報は干渉調整設定情報を含み、
前記干渉調整設定情報は、前記ＰＭＩのうち隣接セルに対して最も小さい干渉として作動するＰＭＩを選択するように指示する、請求項１５に記載のユーザ機器。
【請求項２０】
前記フィードバック制御情報は干渉調整設定情報を含み、
前記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示する、請求項１５に記載のユーザ機器。
【請求項２１】
前記フィードバック制御情報は干渉調整設定情報を含み、
前記干渉調整設定情報は、多重基地局プリコーディングのためのＭＩＭＯ（Ｃｏｌｌａｂｏｒａｔｉｖｅ―ＭＩＭＯ）モードを指示する、請求項１５に記載のユーザ機器。
【発明の詳細な説明】
【技術分野】
【０００１】
本発明は、単一基地局多重入出力通信と多重基地局ＭＩＭＯ通信を支援する無線通信システムにおける多重基地局ＭＩＭＯのためのフィードバック方法及びこれを行うための装置に関するものである。
【背景技術】
【０００２】
以下の説明は、ユーザ機器のダウンリンクチャンネル状況を考慮してフィードバック情報を送受信する方法に関するものである。
【０００３】
通信システムでは、受信端が、送信端から受信した信号に対するフィードバック情報を送信することによって、効率的に通信が行われるようにする。以下、このように送信されるフィードバック情報に対し、多重アンテナ（ＭＩＭＯ）通信システムの例を挙げて簡略に説明する。
【０００４】
図１は、一般的な多重アンテナ通信システムの送受信端構成と受信端からフィードバックされる情報を概略的に示した図である。
【０００５】
まず、送信端１００のスケジューラ１０１は、受信端から受信したフィードバック情報を用いて送信信号を適切な通信資源に割り当てる。その後、送信信号は、エンコーディング及びマッピング１０２、ＭＩＭＯエンコーディング１０３及びＯＦＤＭ変調１０４過程を経てチャンネルを介して送信される。一方、受信端２００は、このように送信された信号を受信し、送信端での過程と逆の過程を行う。すなわち、受信信号は、ＯＦＤＭ復調１０５、ＭＩＭＯデコーディング１０６、デコーディング及びデマッピング１０７過程を経て送信情報を獲得するようになる。また、受信端２００では、ＯＦＤＭ復調された信号を用いてチャンネル推定１０８過程を行い、この推定されたチャンネル応答をＭＩＭＯデコーディング１０６過程に用いるだけでなく、送信端にフィードバックするフィードバック情報獲得１０９過程を行うようになり、このフィードバック情報は、ユーザ情報１１０を構成し、図１に示すように送信端１００にフィードバックされる。
【０００６】
ここで、受信端２００がフィードバックする情報をＯＦＤＭ関連フィードバック情報とＭＩＭＯ関連フィードバック情報とに区分して説明する。
【０００７】
ＯＦＤＭシステムは、ユーザ機器（Ｕｓｅｒ  Ｅｑｕｉｐｍｅｎｔ：以下、「ＵＥ」という。）で測定したチャンネル品質情報（Ｃｈａｎｎｅｌ  Ｑｕａｌｉｔｙ  Ｉｎｆｏｒｍａｔｉｏｎ；以下、「ＣＱＩ」という。）及びチャンネル状態情報（例えば、ＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）又はＳＮＲ（Ｓｉｇｎａｌ  ｔｏ  Ｎｏｉｓｅ  Ｒａｔｉｏ））を基地局（Ｂａｓｅ  Ｓｔａｔｉｏｎ；ＢＳ）にフィードバックし、これに基づいて、基地局は、資源割り当て及びＭＣＳ（Ｍｏｄｕｌａｔｉｏｎ  ａｎｄ  Ｃｏｄｉｎｇ  Ｓｃｈｅｍｅ）レベルを決定する。
【０００８】
また、ＭＩＭＯ―ＯＦＤＭシステムは、開ループ（Ｏｐｅｎ  Ｌｏｏｐ；以下、「ＯＬ」という。）方式と閉ループ（Ｃｌｏｓｅ  Ｌｏｏｐ；以下、「ＣＬ」という。）方式とに分けられる。ＯＬ―ＭＩＭＯにおいて、ＵＥは、既存のＯＦＤＭシステムと同一のフィードバック情報を基地局に報告する。その一方、ＣＬ―ＭＩＭＯにおいて、ＵＥは、チャンネル情報、加重値、ＰＭＩ（Ｐｒｅｃｏｄｉｎｇ  Ｍａｔｒｉｘ  Ｉｎｄｅｘ）、又は好むＰＭＩ、ＣＤＤ技法のための位相などのようなダウンリンク送信に使用される余分の情報などを基地局に送信するようになる。
【０００９】
コードブックを基盤にしたＣＬ―ＭＩＭＯ（Ｃｏｄｅｂｏｏｋ  ｂａｓｅｄ  ＣＬ―ＭＩＭＯ）に基づいて説明すれば、ＵＥは、現在のチャンネル状況に最も適したＰＭＩを推定するようになる。ＣＱＩは、推定されたＰＭＩによって異なる値を有するが、一般的に、ＵＥは、同一のチャンネルに適用される各ＰＭＩのうちＣＱＩを最も良好にするＰＭＩを選択し、そのときのＣＱＩ値を基地局に報告する。
【００１０】
また、ＭＩＭＯシステムでは、チャンネルの状況によって適用可能なランクの数を決定することができ、このために、ＵＥは、現在の自身のチャンネル状況で何個のランクに送信するときに最も効率的であるかを基地局に知らせることができる。
【００１１】
さらに、ＭＩＭＯシステムは、上述したようにＯＬとＣＬで動作することができ、一般的に、高速の状況ではＯＬを選択し、低速の状況ではＣＬを選択して使用する。このために、ＵＥは、ＯＬ又はＣＬのモードを選択して基地局に知らせることができる。
【００１２】
一方、前記ＭＩＭＯシステムは、多重基地局協力シグナリング（ｍｕｌｔｉ―ＢＳ  ｃｏｏｐｅｒａｔｉｖｅ  ｓｉｇｎａｌｉｎｇ）を通してセクタ性能とセル境界性能を向上させることができる。このとき、前記ＭＩＭＯシステムが多重基地局ＭＩＭＯ動作を支援する場合、基地局で伝送するフィードバックを制御する制御情報をどのように構成するかが問題となる。
【発明の概要】
【発明が解決しようとする課題】
【００１３】
本発明は、無線移動通信システムにおけるダウンリンク多重基地局ＭＩＭＯ動作に関するもので、特に、単一基地局ＭＩＭＯ動作と多重基地局ＭＩＭＯ動作を全て支援する場合におけるフィードバック情報測定方法に関するものである。
【課題を解決するための手段】
【００１４】
前記課題を解決するための本発明の一様相に係る単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法は、多重基地局ＭＩＭＯのためのフィードバック制御情報を端末に伝送し、前記フィードバック制御情報に基づいて生成された多重基地局ＭＩＭＯフィードバックのための多重基地局ＭＩＭＯフィードバックメッセージを受信することを含み、前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む。
【００１５】
前記ＴＲＵが所定値に設定される場合、単一基地局ＭＩＭＯ動作のために報告された最も最近の所定個数のサブバンドが前記フィードバックを行う資源ユニットに設定され、前記ＭＩＭＯフィードバックメッセージは、前記所定個数のサブバンドに対するＰＭＩ（Ｐｒｅｃｏｄｉｎｇ  Ｍａｔｒｉｘ  Ｉｎｄｅｘ）情報を含むことができる。
【００１６】
前記ＴＲＵのために２ビットが割り当てられ、前記所定値は００である。
【００１７】
前記フィードバック制御情報は干渉調整設定情報を含み、前記干渉調整設定情報は、前記ＰＭＩのうち隣接セルに対して最も大きい干渉として作動するＰＭＩを選択するように指示することができる。
【００１８】
前記フィードバック制御情報は干渉調整設定情報を含み、前記干渉調整設定情報は、前記ＰＭＩのうち隣接セルに対して最も小さい干渉として作動するＰＭＩを選択するように指示することができる。
【００１９】
前記フィードバック制御情報は干渉調整設定情報を含み、前記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示することができる。
【００２０】
前記フィードバック制御情報は干渉調整設定情報を含み、前記干渉調整設定情報は、多重基地局プリコーディングのためのＭＩＭＯ（Ｃｏｌｌａｂｏｒａｔｉｖｅ―ＭＩＭＯ）モードを指示することができる。
【００２１】
本発明の他の様相に係る単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法は、端末が多重基地局ＭＩＭＯのためのフィードバック制御情報を受信し、前記フィードバック制御情報に基づいて生成された多重基地局ＭＩＭＯフィードバックのための多重基地局ＭＩＭＯフィードバックメッセージを伝送することを含み、前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む。
【００２２】
前記ＴＲＵが所定値に設定される場合、単一基地局ＭＩＭＯ動作のために報告された最も最近の所定個数のサブバンドが前記フィードバックを行う資源ユニットに設定され、前記ＭＩＭＯフィードバックメッセージは、前記所定個数のサブバンドに対するＰＭＩ（Ｐｒｅｃｏｄｉｎｇ  Ｍａｔｒｉｘ  Ｉｎｄｅｘ）情報を含むことができる。
【００２３】
前記ＴＲＵのために２ビットが割り当てられ、前記所定値は００である。
【００２４】
前記フィードバック制御情報は干渉調整設定情報を含み、前記干渉調整設定情報は、前記ＰＭＩのうち隣接セルに対して最も大きい干渉として作動するＰＭＩを選択するように指示することができる。
【００２５】
前記フィードバック制御情報は干渉調整設定情報を含み、前記干渉調整設定情報は、前記ＰＭＩのうち隣接セルに対して最も小さい干渉として作動するＰＭＩを選択するように指示することができる。
【００２６】
前記フィードバック制御情報は干渉調整設定情報を含み、前記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示することができる。
【００２７】
前記フィードバック制御情報は干渉調整設定情報を含み、前記干渉調整設定情報は、多重基地局プリコーディングのためのＭＩＭＯ（Ｃｏｌｌａｂｏｒａｔｉｖｅ―ＭＩＭＯ）モードを指示することができる。
【００２８】
本発明の更に他の様相に係る単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおいて、ユーザ機器は、多重基地局ＭＩＭＯのためのフィードバック制御情報を受信する受信部と、前記フィードバック制御情報に基づいて生成された多重基地局ＭＩＭＯフィードバックのための多重基地局ＭＩＭＯフィードバックメッセージを生成する処理部と、前記生成されたＭＩＭＯフィードバックメッセージを伝送する伝送部とを含み、前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む。
【００２９】
前記ＴＲＵが所定値に設定される場合、単一基地局ＭＩＭＯ動作のために報告された最も最近の所定個数のサブバンドが前記フィードバックを行う資源ユニットに設定され、前記ＭＩＭＯフィードバックメッセージは、前記所定個数のサブバンドに対するＰＭＩ（Ｐｒｅｃｏｄｉｎｇ  Ｍａｔｒｉｘ  Ｉｎｄｅｘ）情報を含むことができる。
【００３０】
前記ＴＲＵのために２ビットが割り当てられ、前記所定値は００である。
【００３１】
前記フィードバック制御情報は干渉調整設定情報を含み、前記干渉調整類型情報は、前記ＰＭＩのうち隣接セルに対して最も大きい干渉として作動するＰＭＩを選択するように指示することができる。
【００３２】
前記フィードバック制御情報は干渉調整設定情報を含み、前記干渉調整設定情報は、前記ＰＭＩのうち隣接セルに対して最も小さい干渉として作動するＰＭＩを選択するように指示することができる。
【００３３】
前記フィードバック制御情報は干渉調整設定情報を含み、前記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示することができる。
【００３４】
前記フィードバック制御情報は干渉調整設定情報を含み、前記干渉調整設定情報は、多重基地局プリコーディングのためのＭＩＭＯ（Ｃｏｌｌａｂｏｒａｔｉｖｅ―ＭＩＭＯ）モードを指示することができる。
【００３５】
上記目的を達成するために、本発明は、例えば、以下の手段を提供する。
（項目１）
単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法であって、
多重基地局ＭＩＭＯのためのフィードバック制御情報を端末に伝送し、
上記フィードバック制御情報に基づいて生成された多重基地局ＭＩＭＯフィードバックのための多重基地局ＭＩＭＯフィードバックメッセージを受信することを含み、
上記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む、フィードバック方法。
（項目２）
上記ＴＲＵが所定値に設定される場合、単一基地局ＭＩＭＯ動作のために報告された最も最近の所定個数のサブバンドが上記フィードバックを行う資源ユニットに設定され、上記ＭＩＭＯフィードバックメッセージは、上記所定個数のサブバンドに対するＰＭＩ（Ｐｒｅｃｏｄｉｎｇ  Ｍａｔｒｉｘ  Ｉｎｄｅｘ）情報を含む、上記項目に記載のフィードバック方法。
（項目３）
上記ＴＲＵのために２ビットが割り当てられ、上記所定値は００である、上記項目のいずれかに記載のフィードバック方法。
（項目４）
上記フィードバック制御情報は干渉調整設定情報を含み、
上記干渉調整設定情報は、上記ＰＭＩのうち隣接セルに対して最も大きい干渉として作動するＰＭＩを選択するように指示する、上記項目のいずれかに記載のフィードバック方法。
（項目５）
上記フィードバック制御情報は干渉調整設定情報を含み、
上記干渉調整設定情報は、上記ＰＭＩのうち隣接セルに対して最も小さい干渉として作動するＰＭＩを選択するように指示する、上記項目のいずれかに記載のフィードバック方法。
（項目６）
上記フィードバック制御情報は干渉調整設定情報を含み、
上記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示する、上記項目のいずれかに記載のフィードバック方法。
（項目７）
上記フィードバック制御情報は干渉調整設定情報を含み、
上記干渉調整設定情報は、多重基地局プリコーディングのためのＭＩＭＯ（Ｃｏｌｌａｂｏｒａｔｉｖｅ―ＭＩＭＯ）モードを指示する、上記項目のいずれかに記載のフィードバック方法。
（項目８）
単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法であって、
端末が多重基地局ＭＩＭＯのためのフィードバック制御情報を受信し、
上記フィードバック制御情報に基づいて生成された多重基地局ＭＩＭＯフィードバックのための多重基地局ＭＩＭＯフィードバックメッセージを伝送することを含み、
上記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む、フィードバック方法。
（項目９）
上記ＴＲＵが所定値に設定される場合、単一基地局ＭＩＭＯ動作のために報告された最も最近の所定個数のサブバンドが上記フィードバックを行う資源ユニットに設定され、上記ＭＩＭＯフィードバックメッセージは、上記所定個数のサブバンドに対するＰＭＩ（Ｐｒｅｃｏｄｉｎｇ  Ｍａｔｒｉｘ  Ｉｎｄｅｘ）情報を含む、上記項目に記載のフィードバック方法。
（項目１０）
上記ＴＲＵのために２ビットが割り当てられ、上記所定値は００である、上記項目のいずれかに記載のフィードバック方法。
（項目１１）
上記フィードバック制御情報は干渉調整設定情報を含み、
上記干渉調整設定情報は、上記ＰＭＩのうち隣接セルに対して最も大きい干渉として作動するＰＭＩを選択するように指示する、上記項目のいずれかに記載のフィードバック方法。
（項目１２）
上記フィードバック制御情報は干渉調整設定情報を含み、
上記干渉調整設定情報は、上記ＰＭＩのうち隣接セルに対して最も小さい干渉として作動するＰＭＩを選択するように指示する、上記項目のいずれかに記載のフィードバック方法。
（項目１３）
上記フィードバック制御情報は干渉調整設定情報を含み、
上記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示する、上記項目のいずれかに記載のフィードバック方法。
（項目１４）
上記フィードバック制御情報は干渉調整設定情報を含み、
上記干渉調整設定情報は、多重基地局プリコーディングのためのＭＩＭＯ（Ｃｏｌｌａｂｏｒａｔｉｖｅ―ＭＩＭＯ）モードを指示する、上記項目のいずれかに記載のフィードバック方法。
（項目１５）
単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおいて、ユーザ機器は、
多重基地局ＭＩＭＯのためのフィードバック制御情報を受信する受信部と、
上記フィードバック制御情報に基づいて生成された多重基地局ＭＩＭＯフィードバックのための多重基地局ＭＩＭＯフィードバックメッセージを生成する処理部と、
上記生成されたＭＩＭＯフィードバックメッセージを伝送する伝送部と、を含み、
上記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む、ユーザ機器。
（項目１６）
上記ＴＲＵが所定値に設定される場合、単一基地局ＭＩＭＯ動作のために報告された最も最近の所定個数のサブバンドが上記フィードバックを行う資源ユニットに設定され、上記ＭＩＭＯフィードバックメッセージは、上記所定個数のサブバンドに対するＰＭＩ（Ｐｒｅｃｏｄｉｎｇ  Ｍａｔｒｉｘ  Ｉｎｄｅｘ）情報を含む、上記項目に記載のユーザ機器。
（項目１７）
上記ＴＲＵのために２ビットが割り当てられ、上記所定値は００である、上記項目のいずれかに記載のユーザ機器。
（項目１８）
上記フィードバック制御情報は干渉調整設定情報を含み、
上記干渉調整類型情報は、上記ＰＭＩのうち隣接セルに対して最も大きい干渉として作動するＰＭＩを選択するように指示する、上記項目のいずれかに記載のユーザ機器。
（項目１９）
上記フィードバック制御情報は干渉調整設定情報を含み、
上記干渉調整設定情報は、上記ＰＭＩのうち隣接セルに対して最も小さい干渉として作動するＰＭＩを選択するように指示する、上記項目のいずれかに記載のユーザ機器。
（項目２０）
上記フィードバック制御情報は干渉調整設定情報を含み、
上記干渉調整設定情報は、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）モードを指示する、上記項目のいずれかに記載のユーザ機器。
（項目２１）
上記フィードバック制御情報は干渉調整設定情報を含み、
上記干渉調整設定情報は、多重基地局プリコーディングのためのＭＩＭＯ（Ｃｏｌｌａｂｏｒａｔｉｖｅ―ＭＩＭＯ）モードを指示する、上記項目のいずれかに記載のユーザ機器。
本発明は、単一基地局多重入出力（Ｍｕｌｔｉｐｌｅ  Ｉｎｐｕｔ  Ｍｕｌｔｉｐｌｅ  Ｏｕｔｐｕｔ：ＭＩＭＯ）通信と多重基地局ＭＩＭＯ通信を支援する無線通信システムにおける多重基地局ＭＩＭＯのためのフィードバック方法に関するものである。
【００３６】
前記方法は、多重基地局ＭＩＭＯのためのフィードバック制御情報を伝送し、前記フィードバック制御情報に基づいて生成された多重基地局ＭＩＭＯフィードバックのための多重基地局ＭＩＭＯフィードバックメッセージを受信することを含み、前記フィードバック制御情報は、フィードバックのために測定する周波数資源ユニットを通知する対象資源ユニット（Ｔａｒｇｅｔ  Ｒｅｓｏｕｒｃｅ  Ｕｎｉｔ：ＴＲＵ）を含む。
【発明の効果】
【００３７】
本発明の資源割り当て通知方法によれば、単一基地局ＭＩＭＯフィードバックと多重基地局ＭＩＭＯフィードバックを円滑に動作することができる。
【図面の簡単な説明】
【００３８】
【図１】一般的な多重アンテナ通信システムの送受信端構成と受信端からフィードバックされる情報を概略的に示した図である。
【図２】本発明の一実施例に係る単一基地局ＭＩＭＯフィードバック動作を説明する図である。
【図３】本発明の一実施例に係る多重基地局ＭＩＭＯを支援する場合におけるフィードバック動作を説明する図である。
【図４】本発明の一実施例に係るユーザ機器の構成要素を示したブロック図である。
【発明を実施するための形態】
【００３９】
添付の図面は、本発明の理解を促進するためのもので、本発明の詳細な説明と共に本発明の原理を説明し、本発明の各実施例を説明する。
【００４０】
添付の図面は、本発明の理解を促進するために提供されたもので、本発明の各実施例を描写し、発明の詳細な説明と共に本発明の原理を説明するためのものである。
【００４１】
本発明の例示的な各実施例に対する参照が詳細に提供されており、本発明の各例が添付の図面上に描写される。添付の図面を参照した以下の詳細な説明は、本発明の例示的な各実施例を説明するためのもので、本発明によって具現される唯一の実施例を示すためのものではない。以下の詳細な説明は、本発明の完全な理解を提供するために特定の具体的な内容を含む。しかし、本発明の属する技術分野で熟練した人たちにとって、本発明がそのような特定の具体的な内容なしにも実施可能であることは明らかである。例えば、以下の説明は、特定の用語を使用して記述されるが、本発明がこのような用語又は同一の意味を表す他の用語によって限定されることはない。
【００４２】
基地局が使用している全体の帯域は、所定個数のサブバンドに区分される。全体の帯域は、ＦＦＲ（Ｆｒａｃｔｉｏｎａｌ  Ｆｒｅｑｕｅｎｃｙ  Ｒｅｕｓｅ）が使用される場合、基地局によって予め区分されたり、制御メッセージの伝送における便宜のために区分される。したがって、全体の帯域が区分されることによって生成されるサブバンドの数は、一つ以上に多様に存在することができ、各サブバンドの大きさは、同一に又は異なるように設定される。以下、本発明に係る多重基地局ＭＩＭＯを支援するシステムにおけるフィードバック情報の測定方法について説明する。
【００４３】
基地局は、フィードバック割り当て制御情報（例えば、Ｆｅｅｄｂａｃｋ  Ａｌｌｏｃａｔｉｏｎ  Ａ―ＭＡＰ（Ａｄｖａｎｃｅｄ―ＭＡＰ）ＩＥ（Ｉｎｆｏｒｍａｔｉｏｎ  Ｅｌｅｍｅｎｔ）又はフィードバックポーリング（Ｆｅｅｄｂａｃｋ  Ｐｏｌｌｉｎｇ）  Ａ―ＭＡＰ  ＩＥ）を通して単一基地局（ｓｉｎｇｌｅ  ＢＳ）の動作に必要なフィードバックを端末に要請する。
【００４４】
前記フィードバック割り当て制御情報は、次の表１のように構成することができる。
【００４５】
【表１−１】
2011166714.tif 000003
【００４６】
【表１−２】
2011166714.tif 000004
【００４７】
【表１−３】
2011166714.tif 000005
前記表１において、チャンネルインデックス（ｃｈａｎｎｅｌ  ｉｎｄｅｘ）は、唯一に端末が速いフィードバック情報を伝送する速いフィードバックチャンネルを割り当てる。前記チャンネルインデックスにより、チャンネルインデックスと端末との間に一対一の関係が形成される。
【００４８】
短期フィードバック周期（Ｓｈｏｒｔ―ｔｅｒｍ  Ｆｅｅｄｂａｃｋ  Ｐｅｒｉｏｄ）ｐは、短期フィードバックが２ｐ個のフレームごとにＦＢＣＨを介して伝送されることを表す。
【００４９】
長期フィードバック周期（Ｌｏｎｇ―ｔｅｒｍ  Ｆｅｅｄｂａｃｋ  Ｐｅｒｉｏｄ）ｑは、短期フィードバックが２ｑ個のフレームごとにＦＢＣＨを介して伝送されることを表す。ｑが０ｂ００であれば、長期フィードバックは使用されない。
【００５０】
割り当て期間（Ａｌｌｏｃａｔｉｏｎ  Ｄｕｒａｔｉｏｎ）ｄと関連し、８×２ｄ個のフレームに対するチャンネルインデックスによって表示されるＦＢＣＨチャンネル上でＦＢＣＨが伝送される。ｄが０ｂ０００であれば、ＦＢＣＨの割り当てが解除される。ｄが０ｂ１１１であれば、端末は、基地局が端末に中止するように命令するときまで報告する。
【００５１】
ＭＦＭは、ＭＩＭＯフィードバックモードを表す。
【００５２】
フィードバックフォーマット（Ｆｅｅｄｂａｃｋ  Ｆｏｒｍａｔ）は、ＦＢＣＨで速いフィードバック情報を報告するとき、フィードバックフォーマットインデックスを指定する。
【００５３】
ＦＰＩ（Ｆｒｅｑｕｅｎｃｙ  Ｐａｒｔｉｔｉｏｎ  Ｉｎｄｉｃａｔｏｒ）は、端末によって測定される短期フィードバック報告が行われる周波数パーティションを指示する。
【００５４】
長期ＦＰＩは、端末によって測定される長期フィードバック報告が行われる周波数パーティションを指示する。
【００５５】
例えば、前記チャンネルインデックスは０に設定し、短期フィードバック周期ｐは０に設定し、長期フィードバック周期ｑは２に設定し、割り当て期間ｄは７に設定し、ＭＦＭは３に設定することができる。
【００５６】
ＭＦＭを３に設定する場合、フィードバックモードは、下記の表２のように構成することができる。下記の表２は、ＭＩＭＯフィードバックモードが３である場合に対するフィードバックフォーマットを表す。前記フィードバック割り当て制御情報を受信した端末は、アップリンク制御チャンネルを介して前記ＭＩＭＯフィードバックモードによってフィードバック情報を伝送する。
【００５７】
【表２−１】
2011166714.tif 000006
【００５８】
【表２−２】
2011166714.tif 000007
前記表２において、フィードバックフォーマットは、０、１、２、３の４個存在し、前記フィードバックフォーマット１においては、フィードバック情報の伝送の対象になるサブバンドの個数が１個（Ｍ＝１）に決定され、フィードバックフォーマット２においては、フィードバック情報の伝送の対象になるサブバンドの個数が２個（Ｍ＝２）に決定され、フィードバックフォーマット３においては、フィードバック情報の伝送の対象になるサブバンドの個数が３個（Ｍ＝３）に決定され、フィードバックフォーマット４においては、フィードバック情報の伝送の対象になるサブバンドの個数が４個（Ｍ＝４）に決定される。
【００５９】
以下、前記フィードバックフォーマットを２に設定する場合を例に挙げて説明する。
【００６０】
図２は、本発明の一実施例に係る単一基地局ＭＩＭＯフィードバック動作を説明する図である。図２は、前記チャンネルインデックスが０に設定され、短期フィードバック周期ｐが０に設定され、長期フィードバック周期ｑが２に設定され、割り当て期間ｄが７に設定され、ＭＦＭが３に設定された場合におけるＭＩＭＯフィードバック動作を説明する図である。前記ｐが０に設定されているので、短期フィードバックは２０＝１個のフレームごとに行われ、前記ｑが２に設定されているので、長期フィードバックは２２＝４個のフレームごとに行われる。
【００６１】
前記ＭＦＭが３に設定されているので、前記表２に示すように、長期と短期フィードバックチャンネルはＳＦＢＣＨ（Ｓｅｃｏｎｄａｒｙ  Ｆａｓｔ  Ｆｅｅｄｂａｃｋ  Ｃｈａｎｎｅｌ）に設定される。また、Ｍ＝３に設定されているので、短期フィードバックで３個のベストサブ帯域のインデックス、差分ＣＱＩ、サブバンドＰＭＩなどをフィードバックし、長期フィードバックで３個のベストサブ帯域のインデックス、広帯域ＳＴＣ（Ｓｐａｃｅ  Ｔｉｍｅ  Ｃｏｄｉｎｇ）レート（ランク情報）、サブ帯域平均ＣＱＩ（３個のベストサブ帯域の平均ＣＱＩ）、ＰＦＢＣＨ（Ｐｒｉｍａｒｙ  Ｆｅｅｄｂａｃｋ  Ｃｈａｎｎｅｌ）表示子などをフィードバックする。
【００６２】
図２において、Ａは前記短期フィードバックを表し、Ｂは短期フィードバックを表す。
【００６３】
このような状況で多重基地局ＭＩＭＯ動作を支援するためには、次のような事項を考慮しなければならない。
【００６４】
すなわち、どの資源領域（周波数、時間）を測定して報告するかに対する事項を考慮しなければならない。特に、本発明では、どの周波数資源領域を測定して報告するかが問題となる。
【００６５】
本発明は、端末がサービング基地局から報告を受けた所定個数のベストサブ帯域に対して測定することを提案する。基地局から報告を受けたサブ帯域以外の資源領域に対して測定して報告するより、報告を受けたベストサブ帯域に対して測定して報告する方が性能改善面で効果的である。
【００６６】
全体のサブ帯域に対してＣＱＩ／ＰＭＩをフィードバックすることが最も望ましいが、フィードバックチャンネルの容量の不足により、全体のサブ帯域に対してＣＱＩ／ＰＭＩをフィードバックせずに、所定個数のベストサブバンドのみに対してフィードバックすることによってフィードバックオーバーヘッドを減少させることができる。これは、端末がフィードバックしたベストサブ帯域が他のサブ帯域に比べてより多くの端末に割り当てられるということに基づいている。
【００６７】
前記のような内容に基づいて多重基地局（ｍｕｌｔｉ―ＢＳ）ＭＩＭＯを作動させるためのフィードバック割り当て制御情報を構成すれば、次の表３に示す通りである。
【００６８】
【表３−１】
2011166714.tif 000008
【００６９】
【表３−２】
2011166714.tif 000009
【００７０】
【表３−３】
2011166714.tif 000010
【００７１】
【表３−４】
2011166714.tif 000011
前記表３において、割り当て期間（Ａｌｌｏｃａｔｉｏｎ  Ｄｕｒａｔｉｏｎ）ｄが０ｂ０００であれば、予めスケジュールされたフィードバックヘッダ伝送が解除される。また、ｄが０ｂ１１１であれば、基地局が割り当てを解除するように命令するときまで、予めスケジュールされたフィードバックヘッダ伝送は有効である。
【００７２】
また、専用アップリンク割り当て（Ｄｅｄｉｃａｔｅｄ  ＵＬ  ａｌｌｏｃａｔｉｏｎ）は、アップリンク資源割り当てを指示し、前記専用アップリンク割り当てが０ｂ０であれば、いずれの専用アップリンク資源も割り当てられず、前記専用アップリンク割り当てが０ｂ１であれば、専用アップリンク資源が前記フィードバック割り当て制御情報に含まれる。また、周期（Ｐｅｒｉｏｄ）ｐは、４ｐ個のフレームごとにフィードバックが伝送されることを表す。ＭＩＭＯフィードバック資源要素類型（ＭＩＭＯ＿ｆｅｅｄｂａｃｋ＿ＩＥ＿ｔｙｐｅ）は、単一ＢＳ  ＭＩＭＯフィードバック要請であるか、それとも多重ＢＳ  ＭＩＭＯフィードバック要請であるかを表す。前記ＭＩＭＯフィードバック資源要素類型値が０ｂ０であれば、単一基地局ＭＩＭＯフィードバック要請を指示し、前記ＭＩＭＯフィードバック資源要素類型値が０ｂ０でなければ、多重基地局ＭＩＭＯフィードバック要請を指示する。また、ＴＲＵ（Ｔａｒｇｅｔ  Ｒｅｓｏｕｒｃｅ  Ｕｎｉｔ）は、多重基地局ＭＩＭＯフィードバックを行う場合、フィードバック遂行の対象になる資源ユニットを指示する。
【００７３】
前記ＴＲＵのために２ビットが割り当てられ、前記ＴＲＵが所定値に設定されれば、最も最近に単一基地局ＭＩＭＯのために報告された所定個数のベストサブバンドがフィードバック遂行の対象になることを表す。多重基地局報告個数（Ｎ＿ｍｕｌｔｉ＿ＢＳ＿ｒｅｐｏｒｔｓ）は報告の個数を表す。前記所定値は、前記表３に示すように０ｂ００である。
【００７４】
また、前記表３において、ＩＣＴ（Ｉｎｔｅｒｆｅｒｅｎｃｅ  Ｃｏｏｒｄｉｎａｔｉｏｎ  Ｔｙｐｅ）のために２ビットが割り当てられ、前記ＩＣＴ値が０ｂ００に設定されれば、端末は、ＴＲＵが指示する周波数資源ユニットで隣接セルに対して最も大きい干渉として作動するＰＭＩを探す。また、ＩＣＴが０ｂ０１に設定されれば、端末は、ＴＲＵが指示する周波数資源ユニットで隣接セルに対して最も小さい干渉として作動するＰＭＩを探す。一方、ＩＣＴ値が０ｂ１０に設定されれば、前記ＩＣＴは、多重基地局プリコーディングのための閉ループマクロダイバーシティ（Ｃｌｏｓｅｄ  Ｌｏｏｐ―Ｍａｃｒｏ  Ｄｉｖｅｒｓｉｔｙ；ＣＬ―ＭＤ）を指示し、ＩＣＴ値が０ｂ１１に設定されれば、前記ＩＣＴは、協力的ＭＩＭＯ（Ｃｏｌｌａｂｏｒａｔｉｖｅ―ＭＩＭＯ）を指示するようになる。
【００７５】
前記ＩＣＴ値が０ｂ０１に設定され、ＣＬ―ＭＤが活性化されれば、単一端末は、複数の協力基地局によって連合してサービスを受ける。また、ＩＣＴ値が０ｂ１１に設定され、Ｃｏ―ＭＩＭＯが活性化されれば、複数の端末が多重ＭＵ(Ｍｕｌｔｉ―Ｕｓｅｒ)―ＭＩＭＯスケジューリングとプリコーディングを通して複数の協力基地局によって連合してサービスを受ける。
【００７６】
例えば、前記表３において、割り当て期間は７に設定し、専用アップリンク割り当て（ｄｅｄｉｃａｔｅｄ  ＵｐＬｉｎｋ  ａｌｌｏｃａｔｉｏｎ）は１に設定し、周期ｐは２に設定し、ＭＩＭＯフィードバック資源要素タイプ（ＭＩＭＯ＿ｆｅｅｄｂａｃｋ＿ＩＥ＿ｔｙｐｅ）は１に設定し、ＴＲＵ（Ｔａｒｇｅｔ  Ｒｅｓｏｕｒｃｅ  Ｕｎｉｔ）は０に設定し、多重ＢＳ報告の個数（Ｎ＿ｍｕｌｔｉ＿ＢＳ＿ｒｅｐｏｒｔｓ）は４に設定することができる。
【００７７】
このとき、多重基地局ＭＩＭＯフィードバックのためのＭＩＭＯフィードバックメッセージフォーマットは、次の表４のように構成することができる。
【００７８】
【表４−１】
2011166714.tif 000012
【００７９】
【表４−２】
2011166714.tif 000013
前記表４のメッセージフォーマットを用いて、端末は、資源インデックスで通知されたアップリンクデータチャンネルを介して１６（４２）フレームごとに臨時基地局ＩＤ、単一基地局ＭＩＭＯのために報告されたベストサブ帯域の領域に対して干渉セルからの追加的な測定指数（例えば、ＳＩＮＲ利得など）、ＰＭＩ及びＰＭＩサブセット大きさを計算して報告する。
【００８０】
図３は、本発明の一実施例に係る多重基地局ＭＩＭＯを支援する場合におけるフィードバック動作を説明する図である。図３において、Ｃは多重基地局フィードバックを表し、図３は、図２の状況を前提として多重基地局ＭＩＭＯフィードバックが行われる状況を示した図である。図３において、各セットは、ベストサブ帯域が同一であることをまとめて表現したものである。
【００８１】
しかし、多重基地局ＭＩＭＯを支援する場合、フィードバック動作が図３に示した動作のみに制限されることはない。単一基地局の長期フィードバック周期と多重基地局のフィードバックの周期とを同一にしたり、単一基地局の長期フィードバック周期を多重基地局フィードバックの周期の倍数にし、同一のフレームでフィードバック情報を伝送することも可能である。
【００８２】
図４は、基地局とユーザ機器に適用可能であり、前記で説明した方法を行うことができるデバイスの構成を示すブロック図である。前記デバイスは、ユーザ機器又は基地局になり得る。図４に示すように、デバイス１００は、処理ユニット１０１、メモリユニット１０２、ＲＦ（Ｒａｄｉｏ  Ｆｒｅｑｕｅｎｃｙ）ユニット１０３、ディスプレイユニット１０４及びユーザインターフェースユニット１０５を含む。物理インターフェースプロトコル階層の機能は、前記処理ユニット１０１で行われる。前記処理ユニット１０１は制御プレーンとユーザプレーンを提供する。各階層の機能は処理ユニット１０１で行われる。メモリユニット１０２は、処理ユニット１０１と電気的に連結されており、オペレーティングシステム、応用プログラム及び一般のファイルを格納している。前記デバイス１００がユーザ機器であれば、ディスプレイユニット１０４は、多様な情報を表示することができ、公知のＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）などを用いて具現される。ユーザインターフェースユニット１０５は、キーパッド、タッチスクリーンなどのような公知のユーザインターフェースと結合されて構成される。ＲＦユニット１０３は、処理ユニット１０１と電気的に連結されており、無線信号を伝送又は受信する。
【００８３】
以上説明した各実施例は、本発明の各構成要素と特徴が所定形態で結合されたものである。各構成要素又は特徴は、別途の明示的な言及がない限り、選択的なものとして考慮されなければならない。各構成要素又は特徴は、他の構成要素や特徴と結合されない形態で実施される。また、一部の構成要素及び／又は特徴を結合して本発明の実施例を構成することも可能である。本発明の各実施例で説明される各動作の順序は変更可能である。いずれかの実施例の一部構成や特徴は、他の実施例に含まれることが可能であり、他の実施例の対応する構成又は特徴に取り替えられる。特許請求の範囲で明示的な引用関係のない各請求項を結合して実施例を構成したり、出願後の補正によって新しい請求項として含ませることが可能であることは自明である。
【００８４】
本発明において、ユーザ機器（Ｕｓｅｒ  Ｅｑｕｉｐｍｅｎｔ；ＵＥ）は、移動端末（ＭＳ：Ｍｏｂｉｌｅ  Ｓｔａｔｉｏｎ）、ＳＳ（Ｓｕｂｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）又は端末（Ｍｏｂｉｌｅ  Ｔｅｒｍｉｎａｌ）などの用語に取り替えられる。
【００８５】
一方、本発明のＵＥとしては、ＰＤＡ（Ｐｅｒｓｏｎａｌ  Ｄｉｇｉｔａｌ  Ａｓｓｉｓｔａｎｔ）、セルラフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどが用いられる。
【００８６】
本発明の各実施例は多様な手段を通して具現される。例えば、本発明の各実施例は、ハードウェア、ファームウェア、ソフトウェア又はそれらの結合などによって具現される。
【００８７】
ハードウェアによる具現の場合、本発明の各実施例に係る方法は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【００８８】
ファームウェアやソフトウェアによる具現の場合、本発明の各実施例に係る方法は、以説明した機能又は動作を行うモジュール、手順又は関数などの形態で具現される。ソフトウェアコードは、メモリユニットに格納されてプロセッサによって駆動される。前記メモリユニットは、前記プロセッサの内部又は外部に位置し、既に公知となった多様な手段によって前記プロセッサとデータを取り交わすことができる。
【００８９】
本発明は、本発明の思想及び必須的な特徴を逸脱しない範囲で他の特定の形態に具体化される。したがって、上記の詳細な説明は、全ての面で制限的に解釈されてはならず、例示的なものとして考慮されなければならない。本発明の範囲は、添付した請求項の合理的な解釈によって決定されなければならず、本発明の等価的範囲内での全ての変更は本発明の範囲に含まれる。また、特許請求の範囲で明示的な引用関係のない各請求項を結合して実施例を構成したり、出願後の補正によって新しい請求項として含ませることができる。
【００９０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００９１】
本発明は、ＩＥＥＥ  Ｓｔａｎｄａｒｄ  ８０２．１６ｍシステムを支援する各システムに適用可能である。
【図１】
2011166714.tif 000014
【図２】
2011166714.tif 000015
【図３】
2011166714.tif 000016
【図４】
2011166714.tif 000017